(57)【要約】【課題】有効券を所持していると誤解して急いで改札通路を通過する利用者（旅客）を保護できる自動改札機を提供する。【解決手段】情報記録媒体（磁気券，非接触型ＩＣカード）から読み取られた情報に基づいて入場用の所定の演算処理を行い、その演算処理の結果、入場を許可できるときにドアを開にして改札通路の通過を許可し、その演算処理の結果、入場を許可できないときにそのドアを閉じてその改札通路の通過を不許可とする自動改札機において、前記改札通路を通過する利用者の移動速度を検出する移動速度検出手段と、前記移動速度検出手段が利用者の移動速度が所定値以上と検出したときに、前記情報記録媒体から読み取られた情報に基づく入場用の所定の演算処理の結果に関係なく前記ドアを開に制御するドア開制御手段とからなる。【選択図】図４
2007279875.tif 000002
【特許請求の範囲】
【請求項１】
情報記録媒体から読み取られた情報に基づいて入場用の所定の演算処理を行い、その演算処理の結果、入場を許可できるときにドアを開にして改札通路の通過を許可し、その演算処理の結果、入場を許可できないときにそのドアを閉じてその改札通路の通過を不許可とする自動改札機において、
前記改札通路を通過する利用者の移動速度を検出する移動速度検出手段と、
前記移動速度検出手段が利用者の移動速度が所定値以上と検出したときに、前記情報記録媒体から読み取られた情報に基づく入場用の所定の演算処理の結果に関係なく前記ドアを開に制御するドア開制御手段と、
を有することを特徴とする自動改札機。
【請求項２】
請求項１に記載の自動改札機において、前記移動速度検出手段は、前記改札通路内の利用者を検知する人間検知器からなることを特徴とする自動改札機。
【請求項３】
請求項１に記載の自動改札機において、前記移動速度検出手段は、前記改札通路内へ入ろうとする利用者を検知するセンサからなることを特徴とする自動改札機。
【請求項４】
請求項１から３のいずれかに記載の自動改札機において、前記ドア開制御手段は、前記自動改札機の本体がノーマルオープン型であるときに、開になっている前記ドアを開のまま維持することを特徴とする自動改札機。
【請求項５】
請求項１から３のいずれかに記載の自動改札機において、前記ドア開制御手段は、前記自動改札機の本体がノーマルクローズ型であるときに、閉になっている前記ドアを開にすることを特徴とする自動改札機。
【請求項６】
請求項１から５のいずれかに記載の自動改札機において、前記自動改札機の本体は、前記情報記録媒体と無線を介して交信して入場用の所定の演算処理を行うことを特徴とする自動改札機。
【請求項７】
請求項１から５のいずれかに記載の自動改札機において、前記自動改札機の本体は、前記情報記録媒体をその自動改札機の本体内に取り込んで入場用の所定の演算処理を行うことを特徴とする自動改札機。
【請求項８】
請求項１から５のいずれかに記載の自動改札機において、前記自動改札機の本体は、前記情報記録媒体と無線を介して交信して入場用の所定の演算処理を行うとともに、その情報記録媒体をその自動改札機の本体内に取り込んで入場用の所定の演算処理を行うことを特徴とする自動改札機。
【請求項９】
請求項１から８のいずれかに記載の自動改札機において、前記ドア開制御手段が前記ドアを開にしたときに、出場時に所定の精算処理が必要である旨を報知する報知手段を設けたことを特徴とする自動改札機。
【請求項１０】
請求項１から９のいずれかに記載の自動改札機において、前記ドア開制御手段が前記ドアを開にしたときに、その自動改札機の本体を介して入場したことを証明する所定の入場証明媒体を発行する入場証明媒体発行手段を設けたことを特徴とする自動改札機。
【発明の詳細な説明】
【技術分野】
【０００１】
本発明は自動改札機に係り、特に、入場時に利用者がドアに接触することがないようにしたもの関する。
【背景技術】
【０００２】
従来、この種の自動改札機は、普通乗車券やＳＦカード等の磁気券からなる情報記録媒体が自動改札機の本体の投入口に投入されると、その情報記録媒体に記録（記憶）されているデータが読み取られ、その読み取られたデータを基に入出場用の所定の演算処理が行われるように構成されている。そして、その演算処理の結果、入出場（入場又は出場を意味している。）を許可できるときは、ドアを開いて（自動改札機の本体がノーマルオープン型のときはそのまま）、利用者（旅客）の改札通路の通過を可能とし、他方、その演算処理の結果、入出場を許可できないときは、ドアを閉じて利用者の改札通路の通過を阻止するように構成されている。
【０００３】
また、情報記録媒体が非接触型ＩＣカードからなるときは、その自動改札機の本体に設けられているアンテナにその情報記録媒体が軽くタッチされ、又はそのアンテナにかざされると、その情報記録媒体に記憶されているデータ（カードデータ）が読み取られ、その読み取られたデータを基に入出場処理が行われるように構成されている。そして、その演算処理の結果を許可できるときは、ドアを開いて（自動改札機の本体がノーマルオープン型のときはそのまま）、利用者の改札通路の通過を可能とし、他方、その演算処理の結果、入出場を許可できないときは、ドアを閉じて利用者の改札通路の通過を阻止するように構成されている。（特許文献１参照）。
【特許文献１】特開２００６−４３１９号公報
【発明の開示】
【発明が解決しようとする課題】
【０００４】
しかしながら、上記従来の自動改札機は、情報記録媒体から読み取られたデータを基にした演算処理の結果、入出場を許可できないときにドアを閉じて利用者の改札通路の通過を阻止するように構成されているので、所持している情報記録媒体が有効期間経過等で無効券であるにもかかわらず、有効券と誤解し改札通路を急いで通過した場合、利用者がドアに接触するおそれがあった。
【０００５】
特に、このようなドアへの接触は、情報記録媒体が無効券の場合に限らず、情報記録媒体が非接触型ＩＣカードからなる場合に生じる可能性が高かった。なぜならば、情報記録媒体が非接触型ＩＣカードの場合、情報記録媒体の投入・取出動作を必要としないので、磁気券からなる情報記録媒体のときよりも改札通路内の移動速度（通過速度）が速いことに加え、利用者が急いで通過しようとすると、有効な非接触型ＩＣカードであってもアンテナに十分にタッチ又はかざされないために読取不良となって無札者と判定されるからである。
【０００６】
そこで、本発明は、上記欠点を解決するためになされたものであって、その目的は、改札通路を急いで通過しようとしている利用者がドアに接触しないようにした自動改札機を提供することにある。
【課題を解決するための手段】
【０００７】
本発明に係る自動改札機は、上記目的を達成するために、請求項１に記載の発明は、情報記録媒体から読み取られた情報に基づいて入場用の所定の演算処理を行い、その演算処理の結果、入場を許可できるときにドアを開にして改札通路の通過を許可し、その演算処理の結果、入場を許可できないときにそのドアを閉じてその改札通路の通過を不許可とする自動改札機において、前記改札通路を通過する利用者の移動速度を検出する移動速度検出手段と、前記移動速度検出手段が利用者の移動速度が所定値以上と検出したときに、前記情報記録媒体から読み取られた情報に基づく入場用の所定の演算処理の結果に関係なく前記ドアを開に制御するドア開制御手段とを有することを特徴としている。
本発明の請求項２に記載の自動改札機は、前記移動速度検出手段は改札通路内の利用者を検知する人間検知器からなることを特徴とする自動改札機。
本発明の請求項３に記載の自動改札機は、移動速度検出手段は改札通路内へ入ろうとする利用者を検知するセンサからなることを特徴としている。
本発明の請求項４に記載の自動改札機は、ドア開制御手段は自動改札機の本体がノーマルオープン型であるときに、開になっているドアを開のまま維持することを特徴としている。
本発明の請求項５に記載の自動改札機は、ドア開制御手段は自動改札機の本体がノーマルクローズ型であるときに、閉になっているドアを開にすることを特徴としている。
本発明の請求項６に記載の自動改札機は、自動改札機の本体は情報記録媒体と無線を介して交信して入場用の所定の演算処理を行うことを特徴としている。
本発明の請求項７に記載の自動改札機は、自動改札機の本体は情報記録媒体をその自動改札機の本体内に取り込んで入場用の所定の演算処理を行うことを特徴としている。
本発明の請求項８に記載の自動改札機は、自動改札機の本体は情報記録媒体と無線を介して交信して入場用の所定の演算処理を行うとともに、その情報記録媒体をその自動改札機の本体内に取り込んで入場用の所定の演算処理を行うことを特徴としている。
本発明の請求項９に記載の自動改札機は、ドア開制御手段がドアを開にしたときに、出場時に所定の精算処理が必要である旨を報知する報知手段を設けたことを特徴としている。
本発明の請求項１０に記載の自動改札機は、ドア開制御手段がドアを開にしたときに、その自動改札機の本体を介して入場したことを証明する入場証明媒体を発行する所定の入場証明媒体発行手段を設けたことを特徴としている。
【発明の効果】
【０００８】
本発明の請求項１に記載の自動改札機は、改札通路を通過する利用者の移動速度を検出する移動速度検出手段と、その移動速度検出手段が利用者の移動速度が所定値以上と検出したときに、情報記録媒体から読み取られた情報に基づく入場用の所定の演算処理の結果に関係なくドアを開に制御するドア開制御手段とからなるので、利用者がドアに接触するのを効果的に防止することができる。このようにドアを開いても、改札通路を急いで通過しようとする利用者は、情報記録媒体を有効券と信じている場合がほとんどで、無賃乗車の意図がなく、鉄道会社が入場を許可しても損害を蒙るおそれが無い。
本発明の請求項２に記載の自動改札機は、移動速度検出手段が改札通路内の利用者を検知する人間検知器からなるので、既設の人間検知器を用いて容易に実施することができる。
本発明の請求項３に記載の自動改札機は、移動速度検出手段が改札通路内へ入ろうとする利用者を検知するセンサからなるので、急いでいる利用者を事前に検出することができる。
本発明の請求項４に記載の自動改札機は、ドア開制御手段は自動改札機の本体がノーマルオープン型であるときに、開になっているドアを開のまま維持するので、ノーマルオープン型のドアに効果的に適用することができる。
本発明の請求項５に記載の自動改札機は、ドア開制御手段は自動改札機の本体がノーマルクローズ型であるときに、閉になっているドアを開にするので、ノーマルクローズ型のドアに効果的に適用することができる。
本発明の請求項６に記載の自動改札機は、自動改札機の本体が情報記録媒体と無線を介して交信して入場用の所定の演算処理を行うので、非接触式の自動改札機の本体に容易に実施することができる。
本発明の請求項７に記載の自動改札機は、自動改札機の本体が情報記録媒体をその自動改札機の本体内に取り込んで入場用の所定の演算処理を行うので、投入式の自動改札機の本体に容易に実施することができる。
本発明の請求項８に記載の自動改札機は、自動改札機の本体が情報記録媒体と無線を介して交信して入場用の所定の演算処理を行うとともに、その情報記録媒体をその自動改札機の本体内に取り込んで入場用の所定の演算処理を行うので、併用式の自動改札機の本体に容易に実施することができる。
本発明の請求項９に記載の自動改札機は、ドア開制御手段がドアを開にしたときに、出場時に所定の精算処理が必要である旨を報知する報知手段を設けたので、利用者は出場時に精算処理が必要であることを事前に知ることができる。
本発明の請求項１０に記載の自動改札機は、ドア開制御手段がドアを開にしたときに、その自動改札機の本体を介して入場したことを証明する所定の入場証明媒体を発行する入場証明媒体発行手段を設けたので、利用者は出場時にその入場証明媒体を用いて容易に精算処理や出場処理を行うことができる
【発明を実施するための最良の形態】
【０００９】
以下、本発明を実施するための最良の形態を図面に基づいて説明する。図１は、本発明に係る自動改札機の本体（以下、「改札機本体」という。）Ｇを構成する一対の筐体のうち、一方の筐体Ｇ1を改札通路Ｐ側から見たときの正面図である。この改札機本体Ｇの筐体Ｇ1の入口側（図１において右側）の上面には、磁気券からなる本発明の情報記録媒体に相当する図示しない乗車券（この改札機本体Ｇが空港用のときは搭乗券、この改札機本体Ｇが船舶用のときは乗船券）を投入するための投入口１が設けられているとともに、その投入口１よりも改札通路Ｐの内側の上面には、図示しない無線通信機能を備えたＩＣカードからなる、本発明の情報記録媒体に相当する図示しない非接触型ＩＣカードと交信するためのアンテナ部Ａが設けられている。また、この筐体Ｇ1の出口側の上面には、利用者へ乗車券を返却するための取出口２が設けられている。さらに、この改札機本体Ｇの内側には、図示しないが、投入口１から投入された乗車券を取出口２又は集札箱（図示せず）まで搬送するカードハンドラが設けられている。なお、上記情報記録媒体は、非接触型ＩＣカードの機能を携帯電話機（ＰＨＳを含む）やＰＤＡ等の利用者の携帯する情報端末機に組込んだものであってもよい。したがって、本発明で情報記録媒体というときは、非接触型ＩＣカードの機能を組込んだ携帯電話等の携帯型情報端末機を含んでいる。
【００１０】
図中、Ｄ1，Ｄ2はドアであり、このうちドアＤ1は改札通路Ｐの出口側（図１に示す例では左側）に設けられ、ドアＤ2は改札通路Ｐの入口側に設けられている。これらドアＤ1，Ｄ2は後述する制御器によって開閉制御されて利用者の改札通路Ｐの通過を許可し、または阻止できるように構成されている。そして、改札通路Ｐの出口側のドアＤ1は、乗車券類（乗車券、搭乗券又は乗船券等の磁気券、非接触型ＩＣカード）を基にして開閉制御され、改札通路Ｐの入口側のドアＤ2は、改札通路Ｐを利用者が逆進してきたとき、すなわち、改札通路Ｐを出口側から入口側に進入したときに閉じられるとともに、改札機本体Ｇが稼動停止中に閉じられるように構成されている。
【００１１】
図１中、３ａ〜３ｆは、光電素子からなる透過型人間検知器であって、改札機本体Ｇの筐体Ｇ1，Ｇ2の（筐体Ｇ2は図示しないが、改札通路Ｐを挟んで筐体Ｇ1と対向して設けられている。）側面に所定の間隔を保って設けられている。これら透過型人間検知器３ａ〜３ｆは、改札通路Ｐ内への利用者の進入及び進出を検出するとともに、改札通路Ｐのほぼ中央部に設けられている透過型人間検知器３ｃ，３ｄは、他の透過型人間検知器よりも間隔が狭く設けられていて、これら透過型人間検知器３ｃ，３ｄの検知順序により利用者の進行方向を検知できるように構成されている。
【００１２】
また、これら透過型人間検知器３ａ〜３ｆのうち、改札通路Ｐの入口側に設けられている透過型人間検知器３ａ及びその透過型人間検知器３ａよりも改札通路Ｐの中央寄りに所定の間隔を保って設けられている透過型人間検知器３bは、本発明の移動速度検出手段をも担っている。すなわち、後述する制御器では、利用者イがこれら２つの透過型人間検知器３ａ，３b間を移動（通過）する時間から改札通路Ｐ内の移動速度を検出することができるように構成されている。
【００１３】
上述の移動速度検出手段は、図２に示される本発明のセンサに相当する接近センサ４によっても構成することができる。すなわち、移動速度検出手段は、反射波を照射するとともに、その反射波が物体（利用者イ）に当たって反射してきた信号を受信できる接近センサ４で構成することもできる。この接近センサ４は、改札機本体Ｇの筐体Ｇ1の入口側端面に設けられていて、その入口側の所定の検出範囲（図２の網掛けの範囲）に向けて超音波、赤外線等の光線又は電波等からなる所定の反射波を照射し、その照射した反射波が利用者イに当たって反射して受信されるまでの時間から改札通路Ｐ内の通過速度を検出できるように構成されている。
【００１４】
改札通路Ｐ内の利用者を検知する人間検知器としては、改札機本体Ｇの筐体Ｇ1，Ｇ2の上面の改札通路Ｐと反対側で、その改札通路Ｐの通過方向に沿って設けられたセンサ取付ボックス５内にそれぞれ設けられている赤外線を利用した測距式の反射型人間検知器６ａ〜６ｃによっても構成されている。この反射型人間検知器６ａ〜６ｃは、改札通路Ｐ内の大人の利用者を検知できるように、改札通路Ｐの床面から所定高さ以上の物体（利用者）を検知できるように構成されている。したがって、透過型人間検知器３ａ〜３ｆ及び反射型人間検知器６ａ〜６ｃの両方で検知されたときは、その利用者を大人の利用者と判定し、反射型人間検知器６ａ〜６ｃで検知されることなく透過型人間検知器３ａ〜３ｆのみで検知されたときは、その利用者を子供（小児）の利用者と判定することができる。
【００１５】
上記改札機本体Ｇの筐体Ｇ1の側面には、利用者に対して音声により所定の案内を行うためのスピーカ７が取付けられている。また、この改札機本体Ｇの筐体Ｇ1の上面の出口側には、利用者に対して文字により所定の案内を行うための表示画面８が取付けられている。さらに、筐体Ｇ1のセンサ取付ボックス５の上面で改札通路Ｐの出口側には、係員に対して無効券の発生及び利用者が子供である旨を報知するための報知灯Ｌが設けられている。
【００１６】
図１中、１０は、改札機本体Ｇの制御動作を司る筐体Ｇ1内に設けられた制御器であり、本発明の所定の入場処理を司る部分に相当している。この制御器１０は、図３に示されるように、ＣＰＵを中心に形成される演算部２０を有している。この演算部２０は、メモリ２１に記憶されているシステムプログラム及びワーキングデータを用いて所定の演算処理を行えるように構成されている。そして、この演算部２０には、図示しないＩ／Ｏ装置を介してカードハンドラを駆動制御するカードハンドラドライバ２２と、ドアＤ1，Ｄ2のドア駆動機構を駆動制御するドアドライバ２３と、接近センサ４の検出信号を処理する接近センサアンプ２４と、各人間検知器３ａ〜３ｆ，６ａ〜６ｃの検知信号を入力するセンサアンプ２５とが接続されている。なお、接近センサアンプ２４は、移動速度検出手段を２つの透過型人間検知器３ａ，３bを用いて行うようにしたときは省略される。
【００１７】
また、上記演算部２０には、非接触型ＩＣカードを処理するためのアンテナ部Ａを接続したリーダライタ２６も接続されている。そしてこのアンテナＡは、非接触型ＩＣカードとデータ授受を行う機能と、その非接触型ＩＣカードに電力を供給するための機能とを有している。なお、この演算部２０には、表示画面８の表示内容を駆動制御する表示ドライバや報知灯Ｌを駆動制御するランプドライバ等も接続されているが、ここでは省略されている。
【００１８】
以下、移動速度検出手段を透過型人間検知器３ａ，３bで兼用したときの制御動作を図４のフローチャートを用いて説明する。先ず、最初に磁気券が使用されたときについて説明する。今、改札機本体Ｇが稼動していて、利用者イが改札通路Ｐ内に進入するとともに磁気券が投入口１に投入され、その利用者イが人間検知器３ａ〜３ｆ，６ａ〜６ｃで検知されたとする（ステップ１００肯定。図１参照。以下、ステップを「Ｓ」とする。）。投入口１に磁気券が投入されると非接触型ＩＣカードＣとの競合を回避するために、その磁気券に対する入出場処理が終了するまでリーダライタ２６による処理は禁止され、人間検知器３ａ，３bの検出信号を用いて改札通路Ｐ内の利用者イの移動速度が算出される（Ｓ１０２）。なお、通常、改札通路Ｐ内の利用者イの移動速度は、１ｍ／sec前後である。
【００１９】
算出された移動速度が所定の値以上（例えば、移動速度が３ｍ／sec以上）のとき（Ｓ１０４肯定）、投入された磁気券が有効か無効かにかかわらず、改札機本体Ｇがノーマルオープン型に設定されていてドアＤ1が開のときはその開がそのまま維持され、また、改札機本体Ｇがノーマルクローズ型に設定されていてドアＤ1が閉のときはそのドアＤ1は開とされる（Ｓ１０４）。したがって、急いで改札通路Ｐ内に進入してきた利用者イがドアドアＤ1に接触するのを効果的に防止することができる。なお、本発明で、ノーマルオープン型というときは、無効券又は無札者が検出されるまでドアＤ1を開としていることであり、ノーマルクローズ型というときは、有効券が検出されるまでドアＤ1を閉としていることを意味している。
【００２０】
そして、投入された磁気券の有効期間が切れている等により無効券の場合は（Ｓ１０８否定）、スピーカ７及び表示画面８を介して出場駅で精算処理の必要がある旨が報知される（Ｓ１１０）。したがって、利用者イは入場はできたが出場駅で精算処理の必要があることを事前に知ることができる。また、投入された磁気券が有効券の場合は（Ｓ１０８肯定）、その投入された磁気券に入場データ等の所定のデータが書き込まれて取出口２に排出されて返却される（Ｓ１１２）。
【００２１】
算出された移動速度が所定の値未満のときは（Ｓ１０４否定）、周知の自動改札機と同様の入出場処理が行われる（Ｓ１１４）。すなわち、投入口１に投入された磁気券は、そこに記録されているデータが読取られ、その読取られたデータを基にしてＣＰＵ２０において所定の入場の演算処理が行われる。そして、その演算処理の結果、入場を許可できるときは、ドアＤ1が開かれて（改札機本体Ｇがノーマルオープン型のときはそのまま）利用者の改札通路Ｐの通過が許されるとともに、その磁気券に新たな入場データが記録された後、取出口２に排出されて返却される。また、入場の演算処理の結果、入場が許可できないときは、ドアＤ1が閉じられて利用者の改札通路Ｐの通過が拒否されるとともに、スピーカ７及び表示画面８を介して精算案内等の所定の案内が行われ、また、投入口１に投入された磁気券は取出口２に排出されて返却される。
【００２２】
上述の磁気券を用いた所定の入場処理が終了すれば、非接触型ＩＣカードの処理が可能となる。このとき、アンテナ部Ａに非接触型ＩＣカードがタッチ又はかざされた場合（以下、タッチで説明する。）、磁気券との混信を避けるために投入口１に設けられている図示しないシャッタが閉じられて磁気券の投入が禁止される。この非接触型ＩＣカードの場合も、上述した磁気券のときと同様に、算出された移動速度が所定の値以上のときは、その非接触型ＩＣカードが有効券か無効券かにかかわらず、改札機本体Ｇがノーマルオープン型に設定されていてドアＤ1が開のときはその開がそのまま維持され、また、改札機本体Ｇがノーマルクローズ型に設定されていてドアＤ1が閉のときはそのドアＤ1は開とされる。したがって、急いで改札通路Ｐ内に進入してきた利用者イがドアドアＤ1に接触するのを効果的に防止することができる。そして、その非接触型ＩＣカードの有効期間が切れている等により無効券の場合は、スピーカ７及び表示画面８を介して出場駅で精算処理の必要がある旨が報知される。したがって、利用者イは入場はできたが出場駅で精算処理の必要があることを事前に知ることができる。また、その非接触型ＩＣカードが有効券の場合は、その非接触型ＩＣカードに入場データ等の所定のデータが書き込まれる。
【００２３】
算出された移動速度が所定の値未満の場合における非接触型ＩＣカードを用いた入場処理は、周知の非接触式の自動改札機と同様に行われる。すなわち、非接触型ＩＣカードがアンテナ部Ａにタッチされると非接触型ＩＣカードはそのアンテナ部Ａ側から送出された電力波を受けて駆動され、非接触型ＩＣカードに記憶されている定期券データやＳＦカードデータ等のカードデータが改札機本体Ｇに取込まれる。
【００２４】
そして、その取込まれたカードデータは、ＣＰＵ２０における入場用の演算処理に用いられる。この演算処理の結果、入場を許可できるときは、ドアＤ1が開かれて利用者の改札通路Ｐの通過が許可されるとともに、新たな入場データ（カードデータ）がアンテナ部Ａを介して非接触型ＩＣカードに送出されてその非接触型ＩＣカードのメモリに書き込まれる。また、上述の演算処理の結果、入場を許可できないときは、ドアＤ1が閉じられるとともに、表示画面７及びスピーカ６を介して精算処理等の所定の案内が行われる。
【００２５】
上述の例では、ドアＤ1が強制的に開とされたとき、出場駅での精算処理等の所定の案内が行われるようにしたが、この報知に加えて出場駅での精算処理等に便利なように、取出口２から入場駅及び入場日時等の所定の入場データの記録された入場証明媒体を発行するようにしてもよい。また、このような入場証明媒体を改札機本体Ｇの出口側に予め用意して置くようにしてもよい。このような入場証明媒体を用いたときは、利用者イは、出場駅で自動精算機で自動的に精算処理ができ、あるいは、その入場証明媒体を用いて定期券等の磁気券又は非接触型ＩＣカードに出場データを書き込むことができる。
【００２６】
さらに、上述の例では、移動速度検出手段を透過型人間検知器３ａ，３bで兼用した例を示したが、この移動速度検出手段を改札機本体Ｇの入口側端面に設けられている接近センサ４で検出するようにしたときは、利用者イの移動速度をより早く知ることができるので、ドアＤ1の開制御をより早く行うことができる。また、上述の例では、改札機本体Ｇは、磁気券も処理できる兼用型に構成されているが、磁気券のみを処理する専用型とすることもできるし、または、非接触型ＩＣカードのみを処理する専用型とすることもできる。
【図面の簡単な説明】
【００２７】
【図１】本発明の一実施の形態に係る改札機本体を形成する一方の筐体を改札通路側から見たときの正面図である。
【図２】移動速度検出手段として接近センサを用いたときの改札機本体を形成する一方の筐体を改札通路側から見たときの正面図である。
【図３】制御器の電気的構成を示すブロック図である。
【図４】制御動作を示すフローチャートである。
【符号の説明】
【００２８】
Ｇ・・・自動改札機の本体（改札機本体）
Ｇ1・・・筐体
Ｄ1，Ｄ2・・・ドア
イ・・・利用者
Ａ・・・アンテナ部
Ｐ・・・改札通路
１・・・投入口
２・・・取出口
３ａ〜３ｆ・・・透過型人間検知器
４・・・接近センサ
６ａ〜６ｃ・・・反射型人間検知器
７・・・スピーカ
８・・・表示画面
１０・・・制御器
【図１】
2007279875.tif 000003
【図２】
2007279875.tif 000004
【図３】
2007279875.tif 000005
【図４】
2007279875.tif 000006